Podtech/llm-jp-corpus-v4-ja_patent huggingface dataset:
(57)【特許請求の範囲】
【請求項１】
ＣＣＤからの入力信号を増幅する第１信号増幅手段と、
前記第１信号増幅手段の出力信号の内、ＣＣＤのリセット信号をバイアス抵抗によりレベル調整するリミッタ手段と、
前記レベル調整されたリセット信号を含む第１信号増幅手段の出力信号を増幅する第２  信号増幅手段と、
前記第２信号増幅手段の出力信号のリセット信号をクランプし、リセット信号以外の信号成分のみを出力するリセットクランプ手段と
を有するＣＣＤ出力リセット信号クランプ回路。
【請求項２】
前記第１信号増幅手段と、前記リミッタ手段と、前記第２信号増幅手段とが平衡増幅器で構成されていることを特徴とする請求項１記載のＣＣＤ出力リセット信号クランプ回路。
【請求項３】
前記リセットクランプ手段が、前記リセット信号と同期した発振器を逆相にして取り除くインバータにより構成されていることを特徴とする請求項１記載のＣＣＤ出力リセット信号クランプ回路。
【請求項４】
前記ＣＣＤのリセット信号の繰り返し周期が１０ＭＨｚ以上の速度を有する場合に対しても有効であることを特徴とする請求項１記載のＣＣＤ出力リセット信号クランプ回路。
【発明の詳細な説明】
【０００１】
【発明の属する技術分野】
本発明は、ＣＣＤ信号の処理に関し、特にＣＣＤ出力信号を増幅し、リセット信号をクランプし、光のレベルに対して変化する信号成分だけを取り出し、次段のＣＤＳ回路（Ｃｏｒｒｅｌａｔｅｄ  Ｄｏｕｂｌｅ  Ｓａｍｐｌｉｎｇ回路）へ出力するＣＣＤ出力リセット信号クランプ回路に関する。
【０００２】
【従来の技術】
人工衛星のリモートセンシング用の機器などにおいては、小型軽量化が要求され、光学系を大きくすることができない。このため、十分な光量が得られず信号を増幅して使用しなければならなくなる。すべてのＣＣＤ出力には原理上リセット信号が重畳して出力されるため、増幅率を大きくとればとるほど、この信号まで増幅され、次段のＣＤＳ回路の入力レンジを超えてしまう。このような背景から、特にＣＣＤ出力の微少信号を使用する回路には、リセットクランプ回路は必須である。
【０００３】
【発明が解決しようとする課題】
本発明の目的は、  ＣＤＳ回路の入力レンジをオーバーせず、ＣＤＳ回路の出力の飽和によるリニアリティの劣化を防ぐことのできるＣＣＤ出力リセット信号クランプ回路を提供することである。
【０００４】
【課題を解決するための手段】
本発明のＣＣＤ出力リセット信号クランプ回路は、ＣＣＤからの入力信号を増幅する第１信号増幅手段と、第１信号増幅手段の出力信号の内、ＣＣＤのリセット信号をバイアス抵抗によりレベル調整するリミッタ手段と、レベル調整されたリセット信号を含む第１信号増幅手段の出力信号を増幅する第２信号増幅手段と、第２信号増幅手段の出力信号のリセット信号をクランプし、信号成分のみを出力するリセットクランプ手段とを有する。
【０００５】
また、第１信号増幅手段と、前記リミッタ手段と、前記第２信号増幅手段とは、平衡増幅器で構成されていることを特徴とする。
【０００６】
また、リセットクランプ手段は、リセット信号と同期した発振器を逆相にして取り除くインバータにより構成されていることを特徴とする。
【０００７】
また、本発明のＣＣＤ出力リセット信号クランプ回路は、ＣＣＤのリセット信号の繰り返し周期が１０ＭＨｚ以上の速度を有する場合に対しても有効であることを特徴とする。
【０００９】
【発明の実施の形態】
次に、本発明の実施の形態について図面を参照して説明する。図１は本発明の実施例を示すＣＣＤ出力リセット信号クランプ回路の構成を示すブロック図、図２はＣＣＤ出力リセット信号クランプ回路の各構成部における出力波形を示す図、図３は本実施例の具体的な回路構成図である。
【００１０】
図１によれば、本実施例のＣＣＤ出力リセット信号クランプ回路はＣＣＤからの入力信号を増幅する第１信号増幅部１と、第１信号増幅部１の出力信号の内、ＣＣＤのリセット信号をバイアス抵抗３によりレベル調整するリミッタ部２と、レベル調整されたリセット信号を含む第１信号増幅部１の出力信号を増幅する第２信号増幅部４と、第２信号増幅部４の出力信号のリセット信号をリセットクランプパルス６によりクランプし、信号成分のみを出力するリセットクランプ部５から構成されている。
【００１１】
次に、図１、２を用いて本実施例のＣＣＤ出力リセット信号クランプ回路の動作を説明する。
【００１２】
まず、ＣＣＤから入力した信号（図２の→１：□）を第1信号増幅部１にて増幅する（増幅後の信号  図２の→２：▽）。この時点でリセット信号まで増幅してしまうので、ＣＤＳ回路の入力レンジを超えてしまう。
【００１３】
次にリミッタ部２のバイアス抵抗３でリセット信号のレベル範囲を調整する。しかし、リミッタ部２によるレベル損失のため、損失分を考慮し、次段の第２信号増幅部４でさらに増幅して、第２信号増幅部４の出力信号をリセットクランプ部５でリセットクランプし、次段のＣＤＳ回路に出力する（図２の→３：◇）。リセットクランプすることで、信号成分のみを抽出することができる。
【００１４】
それぞれのＣＣＤ出力リセット信号クランプ回路の各構成部における出力波形が図２に示されている。図２に示されるように、信号波形の１周期が約０．１μｓｅｃであり、従来２から３Ｍサンプルであったものが容易に１０Ｍサンプルに達していることを示している。  また、使用環境については−１０℃から＋４０℃で十分な正常動作が確かめられた。
【００１５】
図３は本実施例の具体的な回路構成図であり、第１信号増幅部１と、リミッタ部２と、第２信号増幅部４とは、平衡増幅器で構成されており、リセットクランプ部５は、リセット信号と同期したリセットクランプパルス６を逆相にして取り除くインバータにより構成されている。
【００１６】
【発明の効果】
通常ＣＣＤ信号の処理は、ＣＣＤ出力信号を増幅し、次にＣＤＳ回路で光のレベルに対して変化する信号成分だけを取り出し、Ａ／Ｄ変換する。
【００１７】
有害なリセット信号がある場合、これを増幅するとＣＤＳ回路の入力レンジをオーバーする可能性がある。
【００１８】
本発明によれば、ＣＤＳ回路の入力レンジをオーバーせず、回路のＣＤＳ出力の飽和によるリニアリティの劣化を防ぐ効果を有する。また、前段で早めに増幅することが可能であるためＳ／Ｎ比も有利になる効果を有する。
【図面の簡単な説明】
【図１】本発明の実施例を示すＣＣＤ出力リセット信号クランプ回路の構成を示すブロック図である。
【図２】図１のＣＣＤ出力リセット信号クランプ回路の各構成部における出力波形を示す図である。
【図３】本発明の実施例を示すＣＣＤ出力リセット信号クランプ回路の回路構成図である。
【符号の説明】
1    第1信号増幅部
2    リミッタ部
3バイアス抵抗
4    第2信号増幅部
5    リセットクランプ部
6    リセットクランプパルス
【図１】
0003821676.tif 000002
【図２】
0003821676.tif 000003
【図３】
0003821676.tif 000004
(57)【特許請求の範囲】
【請求項１】
板バネと印字ピンで構成されており、印字行に沿って所定ピッチで並べて配置された複数のドット印字ハンマと、該印字ハンマを非印字位置に保持するために磁気吸引力を発生する磁石手段と、前記印字ハンマを駆動するために各印字ハンマに対応して設けられ、所定幅のパルス電流が供給されて前記磁石手段の磁界を打ち消す釈放用電磁コイル及び該釈放用電磁コイルの発生する熱を放熱させるための放熱フィンを有するハンマバンクを上下２段に設け、これらハンマバンクを行方向に沿って往復移動させ、その過程で前記各印字ハンマを駆動して印字するドットラインプリンタにおいて、
前記上下のハンマバンクに夫々装着されている放熱フィンを連結するべく、該放熱フィン間に熱伝導率の高い部材を装着したことを特徴とするドットラインプリンタ。
【請求項２】
請求項１記載のドットラインプリンタであって、
前記熱伝導率の高い部材を弾性部材としたことを特徴とするドットラインプリンタ。
【発明の詳細な説明】
【０００１】
【発明の属する技術分野】
本発明は行方向に沿って並べて設けられた複数のスプリングチャージ式ドット印字ハンマを保持したハンマバンクを、行方向に沿って往復移動させ、この往復移動の過程でドット行を印字するドットラインプリンタの印字ハンマに関するものである。
【０００２】
【従来の技術】
従来の技術の一例を図２、図３により説明する。
【０００３】
図２は、板バネ５とその先端に装着された印字ピン６よりなる印字ハンマを、例えばマグネット２の磁気吸引力によって非印字位置に保持し、釈放用電磁コイル７(以下単にコイルという)に所定パルス幅の釈放電流を供給することによって前記印字ハンマを釈放飛行させて印字するスプリングチャージ式印字ハンマを示す。更に、図２では、前記印字ハンマが複数集積されたハンマバンクを、上下２段に配置されたダブルバンク方式の構成となっている。
【０００４】
かかるダブるルバンク方式のドットラインプリンタにおいて、コイル７の冷却を行う場合、放熱フィン８の後方から冷却風９を吹き付け冷却を行っていた。その際に、冷却風９と一緒にダスト、異物等が、集積した印字ハンマ及びヨーク部へ侵入し、動作不良等の悪影響を及ぼすのを防ぐため、ダストプロテクタ１０を実装していた。
【０００５】
また、図３に示すように、前記印字ハンマは複数個毎にハンマモジュール１１として構成され、これらが複数集積されてハンマバンクを構成している。かかる構成において、放熱フィン８は複数の印字ハンマを所有するハンマモジュール１１として複数に分割実装されているため、事実上、各ハンマモジュール１１でのコイル７の発熱は分割される各単位での放熱フィンによってのみ放熱され、隣接する放熱フィンへは空気伝導によるもののみであった。
【０００６】
【発明が解決しようとする課題】
しかし、上記した従来のドットラインプリンタには次のような問題がある。
【０００７】
例えば、駆動するハンマモジュールが限定される印字の場合、放熱は隣接する放熱フィンへの空気伝導以外全て、分割される各単位の放熱フィンによる放熱であるため、放熱効率が悪く、その結果、ハンマの熱変形等による印字品質の低下及びハンマ吸着面の寿命低下等を引き起こす問題があった。
【０００８】
本発明の課題は、分割実装されている放熱フィンの熱の一部集中を防ぎ、熱を各放熱フィンに分散させる、放熱効率の向上を図ることにより、コイルの温度上昇を抑制し、熱影響による印字品質の低下及びハンマ吸着面の寿命低下等を防止することである。
【０００９】
【課題を解決するための手段】
上記した課題を達成するために、本発明は、板バネと印字ピンで構成されており、印字行に沿って所定ピッチで並べて配置された複数のドット印字ハンマと、該印字ハンマを非印字位置に保持するために磁気吸引力を発生する磁石手段と、前記印字ハンマを駆動するために各印字ハンマに対応して設けられ、所定幅のパルス電流が供給されて前記磁石手段の磁界を打ち消す釈放用電磁コイル及び該釈放用電磁コイルの発生する熱を放熱させるための放熱フィンを有するハンマバンクを上下２段に設け、これらハンマバンクを行方向に沿って往復移動させ、その過程で前記各印字ハンマを駆動して印字するドットラインプリンタにおいて、前記上下のハンマバンクに夫々装着されている放熱フィンを連結するべく、該放熱フィン間に熱伝導率の高い部材を装着した。
【００１０】
前記熱伝導率の高い部材は、好ましくは任意の弾性部材より選ばれるとよい。
【００１１】
上述のように、熱伝導率の高い弾性部材を放熱フィンに実装することにより、ダスト、異物等が集積した印字ハンマ及びヨーク部に侵入することを防ぐダストプロテクタの役割を果たすと共に、分割実装されている放熱フィンの熱の一部集中を防ぎ、熱を各放熱フィンに分散させ、放熱効率の向上を図ることができる。
【００１２】
【発明の実施の形態】
以下、本発明について図面を参照して説明する。
【００１３】
図１は本発明の印字ハンマの側面図を示す。
【００１４】
印字ハンマは磁気回路を構成するヨーク１、ヨークベース３、フロントヨーク４、磁気を発生するマグネット２及び、印字をつかさどる印字ピン６、印字エネルギーをバネの撓みとして蓄えるための板バネ５、マグネット２の磁気を打ち消し板バネ５を飛び出させ印字ピン６によりドットを形成させるためのコイル７、コイル７で発生する熱を逃がすための放熱フィン８により構成され、放熱フィン８に冷却風９を吹き付けることにより冷却を行っている。
【００１５】
以上からなる印字ハンマにおいて、上述したように上下ハンマバンクの放熱フィン８の間に熱伝導率の高い弾性部材１２を実装することにより冷却風９と一緒にダスト、異物等が、印字ハンマ及びヨーク部に侵入すること防ぐことができ、且つ上下及び隣接する放熱フィン間での熱伝導性が高くなり熱が分散され放熱効率を向上させることが可能となる。
【００１６】
【発明の効果】
以上詳述したように、本発明によれば熱伝導率の高い弾性部材を放熱フィンに実装したことにより、従来のダストプロテクタの役割を果たすと共に、分割実装されている放熱フィンの熱の一部集中防ぎ、熱を各放熱フィンに分散させ、放熱効率の向上を図るため、印字品質の低下及びハンマ吸着面の寿命低下等を抑えることができ、常に印字品質の高いドットラインプリンタの提供が可能となる。
【図面の簡単な説明】
【図１】  本発明の印字ハンマの一例を示す側面図
【図２】  従来の構成を示す側面図
【図３】  ハンマバンクの全体構成を示す側面図及び上面図
【符号の説明】
１はヨーク、２はマグネット、３はヨークベース、４はフロントヨーク、５は板バネ、６は印字ピン、７はコイル、８放熱フィン、９は冷却風、１０はダストプロテクタ、１１はハンマモジュール、１２は熱伝導率の高い弾性部材を示す。
【図１】
0003821188.tif 000002
【図２】
0003821188.tif 000003
【図３】
0003821188.tif 000004
(57)【特許請求の範囲】
【請求項１】
外輪と内輪挟み板甲、乙と回り止めピンで構成する軽重量物離間はずみ車で、外輪の内円部に内輪を組合せるための凸部を設け、その凸部に内輪挟み板を固定する回り止めピン孔の貫通孔を設けた構造とし、軸面部に二分割した甲、乙内輪は扁平円板甲、乙の挟み板で、内輪の外円部分に外輪重量物の内円部の凸部を組むための内輪の外円部に組込段と回り止めピンの貫通しないピン孔を挟み板甲乙両円板に設けた構造とし、組立て方法は外輪の内円部凸部と乙側軽量円板挟み板を組合せた部分の回り止めピン孔にピンをはめ込み、甲側軽量円板挟み板をピンに合せて組込み重ねた二分割内輪構造で、重量物外輪と軽量物内輪を単一面に構成した重量分散型軽重二分割離間はずみ車。
【発明の詳細な説明】
本考案は軽重量物分散二分割円型両挟み板甲、乙内輪とスプライン溝付軸孔と回り止めピン孔を設けた内輪と重量物の異った重量物外輪で、外輪には内円部分の凸部と挟み板の回り止めの回り止めピン孔を貫通させた外輪、内輪側の外円部には外輪組立て用の段と回り止めピンの貫通しないピン孔を設け、外輪、内輪の回り止め付軽重二分割離間のはずみ車を完成させたことにより、動力増量装置として高速回転の長時間運転耐久可能とした軽重二分割離間はずみ車である。出力の増減量の必要に応じてはずみ車を増減出来るように組替、組重ね出来る単一面構造とした。外輪部重量材質により高度な遠心力が得られ、又必要に応じて出力の増量時には積み重ねが出来、組立て時間を省略し扱い易くした。又部品の量も少数に絞り込んだ特長。
【０００１】
【発明の属する技術分野】
本考案は構造が簡単で手軽に扱い易い特長と、自由に馬力の組替が可能な特長を有している。製造に於ては構造を簡単にし、部品の量も少数に絞り、組立てにも時間を省略し扱い易くした。
【０００２】
【発明が解決しようとする課題】
高性能な動力増量と高速回転に耐える構造、軽重二分割と組重ねや組替等の時間の省略が出来るようにスプライン溝などを設けた構成。
【０００３】
【課題が解決するための手段】
軸受が高速回転と重量に十分耐えられるように、軽重二分割した構造で加量重量を減量可能にするため、単一物ではなく２種類の材質を組合せることによって重量分散型で構成したはずみ車。
【０００４】
〔従来の技術〕
本考案の重量離間はずみ車は従来にはなく、見当たるはずみ車に応用することができる。
従来の機械装置に着装したはずみ車は、単一構造の馬力増量組替え不可能な構造で取扱も難しい。
【０００５】
【実施例】
動力増量装置に伝動し、高速回転に変換した離間型はずみ車で動力増量出来、省エネに役立て、強力な動力を発生させる。
【０００６】
【発明の効果】
高性能で高速回転に長時間運転耐久可能にするはずみ車として開発の必要があり、外輪は重量物に内部挟み板は軽量物に二分し、軸受の加重減量出来るよう分散離間を設け、外輪内部に外輪円形挟み板を両面からはめ込み組立て軽量二分割構造を完成し、重量分散装置で長時間運転に十分に力を発揮する。
軸受を長時間耐久さすには単一重量はずみ車に得られない特長が必要で、重量を二分割して自然分散型で外輪内部の離間部に２枚の挟み板を使って組上げたはずみ車。
【０００７】
【産業上の利用分野】
プレス機、発電用フライホイル、撹拌機、コンプレッサー、ポンプ、エンジン等動力増量装置としての利用と小型で高出力が得られる。
【図面の簡単な説明】
【図１】  本発明の外輪Ａ−Ｂ組立断面図である。
【図２】  本発明の扁平円板Ａ−Ａ’組立断面図である。
【図３】  本発明の扁平円板型平面図である。
【符号の説明】
１  重量外輪
２  回り止めピン
３  甲軽量円型（ハサミ）両挟板
４  乙軽量円型（ハサミ）両挟板
５  スプライン溝部
６  スプライン溝付主軸貫通孔
【図１】
0003763009.tif 000002
【図２】
0003763009.tif 000003
【図３】
0003763009.tif 000004
(57)【特許請求の範囲】
【請求項１】
湾曲した外側ガラス（２）、及び外側ガラス（２）から間隔を置いて配置された同様に湾曲したセルロースプロピオナートフィルムからなる内側ガラス（３）を有し、この内側ガラスが、縁側のパッキン帯（４）を介して外側ガラス（２）に結合されている、スキーゴーグルのための二重壁の視界ガラスにおいて、ポリカルボナートから射出成形された外側ガラス（２）、及びセルロースプロピオナートの真空深絞りによって製造された内側ガラス（３）が、球形に湾曲しており、かつ外側ガラス（２）が、その内側に吸湿性の被覆（７）を有することを特徴とする、スキーゴーグルのための二重壁の視界ガラス。
【発明の詳細な説明】
【０００１】
技術分野
本発明は、湾曲した外側ガラス、及び外側ガラスから間隔を置いて配置された同様に湾曲したセルロースプロピオナートフィルムからなる内側ガラスを有し、この内側ガラスが、縁側のパッキン帯を介して外側ガラスに結合されている、スキーゴーグルのための二重壁の視界ガラスに関する。
【０００２】
従来の技術
スキーゴーグルにおいて、凝縮した水蒸気による視界ガラスの曇りをできるだけ避けるために、互いに間隔を置いて縁側のパッキン帯を介して互いに結合された二重壁の視界ガラスを使用することは周知である。外側及び内側のガラスの間の空気層によって引起こされる熱のせき止めは、両方のガラスの間の相応する温度差を可能にし、このことは、とくに両方のガラスがセルロースプロピオナートフィルムを使用した場合のように、凝縮した水蒸気による曇りを困難にする表面特性を有する材料から製造されているとき、これに結び付いた結露点の移動のために、単壁の視界ガラスと比較して視界ガラスの曇りの明らかにわずかな傾向に至る。ただしこれらのフィルムが比較的小さな機械的強度を有し、かつそれ故にかき傷の付かないものとみなすことができないことは、セルロースプロピオナートフィルムからなる二重壁の視界ガラスにおいて不利である。さらに視界ガラスの二重壁の形成及び不所望な温度及び湿度状態における有利な曇り特性にもかかわらず、凝縮した水蒸気によりスキーゴーグルを通した視界を害する視界ガラスの曇りに至る。
【０００３】
発明の表示
したがって本発明の課題は、視界ガラスの機械的強度を増加できるだけでなく、曇り特性も改善することができるように、初めに述べたようなスキーゴーグルのための二重壁の視界ガラスを形成することにある。
【０００４】
本発明は、設定された課題を次のようにした解決する。すなわちポリカルボナートから射出成形された外側ガラス、及びセルロースプロピオナートの真空深絞りによって製造された内側ガラスが、球形に湾曲しており、かつ外側ガラスが、その内側に吸湿性の被覆を有する。
【０００５】
外側及び内側のガラスの球形の湾曲によって、頭の形にスキーゴーグルを整合するために円筒形の湾曲を備えた従来の視界ガラスに比較して、着用者の頭と視界ガラスとの間においてスキーゴーグルによって囲まれる空気容積が増大し、このことは、スキーゴーグルの曇り特性に有利に作用し、しかも驚くほどの程度で有利に作用する。外側ガラスは、ポリカルボナートから射出成形によって製造されるので、求められる球形の湾曲は、射出成形型の相応する構成を介して比較的簡単に達成することができる。しかしながら光学的な理由によりそのままでは変形できないセルロースプロピオナートフィルムによって形成される内側ガラスの球形の湾曲に関して困難が存在する。使用したセルロースプロピオナートフィルムの真空深絞りによって初めて、深絞り過程における相応してわずかな分子引き延ばしに注意すれば、視界ガラスの光沢品質に関する損失なしに内側ガラスの求められる球形の湾曲が保証できる。
【０００６】
良好なかき傷耐性と高い破損安全性を結び付けることができるようにするために、視界ガラスをポリカルボナートから製造することは周知である。ただしポリカルボナートからなる視界ガラスを使用することによって、セルロースプロピオナートフィルムのとくに良好な曇り特性を断念しなければならない。視界ガラスの本発明による形成によれば、ポリカルボナートからなる外側ガラスがセルロースプロピオナートフィルムからなる内側ガラスと組合わされ、かつ外側ガラスがその内側に追加的に吸湿性の被覆を備えるので、さもなければポリカルボナートからなる視界ガラスの際に生じるこの欠点が現われることはなく、したがって視界ガラスの球形の湾曲に関連して前記の処置の共同作用により、不所望の温度及び湿度状態の際にもこのような視界ガラスの曇るわずかな傾向が得られる。
【０００７】
発明を実施する最善の方法
図示した視界ガラス１は、ポリカルボナートからなる外側ガラス２及びセルロースプロピオナートフィルムからなる内側ガラス３からなり、この内側ガラスは、縁側の周を閉じるパッキン帯４を介して外側ガラス２に結合されている。このパッキン帯４は、閉じた多孔性の発泡材料から製造されており、かつ両方のガラス２及び３に接着されている。外側ガラス２は、縁橋絡片５によってパッキン帯４を越えて突出しており、かつ縁橋絡片５の範囲に切り欠き６を形成しており、これらの切り欠きによって視界ガラス１は、従来のようにスキーゴーグルのフレーム状の保持部内に係止される。
【０００８】
従来の二重壁視界ガラスとは異なって、本発明による視界ガラス１は、頭の形にスキーゴーグルを整合するために、円筒形ではなく、球形に湾曲しているので、外側ガラス２及び内側ガラス３は、少なくとも近似的に球面を形成している。視界ガラス１のこの球形の湾曲によって、視界ガラス１とゴーグル着用者との間においてスキーゴーグルによって囲まれる空気容積は増大し、このことは、その他の処置との共同動作においてスキーゴーグルの曇り特性を驚くほど大きな程度に改善する。曇り特性の改善に関するこれらの追加的な処置は、セルロースプロピオナートからなる内側ガラスに対してさらに不所望なポリカルボナートからなる外側ガラス２の曇り特性が、外側ガラス２の内側における吸湿性の被覆によって補償されることにある。これに関連して、使用した合成物質は完全な蒸気遮断部を形成しないので、両方のガラス２及び３の間の空気層が、湿気密に閉じることができないことが考慮される。
【０００９】
ポリカルボナートからなる外側ガラス２は、従来の射出成形法において製造することができるが、一方セルロースプロピオナートフィルムの形の内側ガラス３が存在し、このセルロースプロピオナートフィルムは、光学的な品質損失をがまんしないようにするとき、球形の湾曲に関して困難を提供する。その理由により内側ガラス３は、真空深絞り法によって球形に湾曲され、その際、わずかな分子引き延ばしに注意を払って、光学的な歪みを避けることができる。
【図面の簡単な説明】
【図１】  本発明によるスキーゴーグルのための視界ガラスを一部切り欠いて概略的に示す平面図である。
【図２】  図１の線ＩＩ−ＩＩに沿った断面図である。
【図１】
0003763034.tif 000002
【図２】
0003763034.tif 000003
(57)【特許請求の範囲】
【請求項１】
板材で半円弧状に枠（１）を形成し、その中央部に杭を保持する保持部（２）を設け、枠（１）の両端部並びに中央部に突出した爪（３）を３ケ所以上形成し、樹脂成型により一体化したことを特徴とする、幼齢木の防獣ネット保持具。
【発明の詳細な説明】
【０００１】
［産業上の利用分野］
本発明は幼齢木を動物より保護する防獣ネットを支える保持具に関する。
【０００２】
［従来の技術］
従来は杭を幼齢木の周りに複数本、打ち込み防獣ネットを杭の周りに巻き、杭先端部に設けられたフックにより防獣ネット上部を釣支していた。
【０００３】
［発明が解決しようとする課題］
上記従来例のように杭を複数本打ち込む場合、杭を２本の少数にすると風雨でネットが幼木に絡み、新芽や枝折れの危険性があった。
【０００４】
又、幼木の周りに多くの杭を使用すると打ち込み時、幼木の根切れを起こす危険度が高くなる欠点があった。
【０００５】
更に、杭の打ち込み本数を増すと施工性の低下並びに材料価格が高くなる欠点が有った。
【０００６】
そこで、本発明は、上記従来例が有する各問題を解決するために、１本の杭に保持具を挟持し、その保持具の枠部に設けられた爪に防獣ネットを釣支するよう構成した、幼齢木の防獣ネット保持具を提供せんとするものである。
【０００７】
［課題を解決するための手段］
上記従来技術が有する問題点を解決することを課題として、本発明は半円弧状に形成した枠（１）の中央部に杭を保持する保持部（２）を設け、枠（１）の両端部並びに中央部に突出した爪（３）を形成し、樹脂成型により一体化するよう、構成したことを請求項１とするものである。
【０００８】
又、保持部（２）を杭（４）に対して握持形状としたことを請求項２とするものである。
【０００９】
又、保持部（２）を杭（４）に対して冠着形状とし、爪を板幅の両側に形成するよう、構成したことを請求項３とするものである。
【００１０】
更に、幼齢木の防獣ネット保持具一体を生分解性プラスチックで形成したことを請求項４とするものである。
【００１１】
［作  用］
本発明は上述したように、杭に保持具を装着し、その保持具に防獣ネットを周設し、防獣ネットを保持具の爪部に懸吊することにより、１本の杭打ちで幼木を保護することが出来る。
【００１２】
［実施例］
以下本発明を図面に示す実施例に基ずいて説明する。図１は本発明の外観斜視図で有る。半円弧状に湾曲した板で枠（１）を形成している。枠（１）の中央部には杭を握持する形状の保持部（２）が設けられ、枠（１）の両端並びに中央部には防獣ネットを懸吊する爪（３）が設けられている。そして、これらを樹脂成型により一体形成させている。
【００１３】
図２は本発明の施工実施例を示す図である。幼木（６）の近傍に杭（４）を打ち込み、杭（４）の上端部を本発明の保持具の保持部（２）に挿入し、杭（４）に対し、握持状態に固定する。防獣ネット（５）を保持具の枠（１）の外周に巻装し、防獣ネット（５）の上端部を枠（１）の上面に設けられた爪（３）に嵌入し、防獣ネット（５）を保持具より懸吊する。但し、この施工法では幼木（６）の成長に伴い、幼木（６）の新芽が枠（１）と防獣ネット（５）の間に進入する危険性がある。
【００１４】
そこで、本発明の保持具の爪（３）を下方に向くよう杭（４）に取付れば、防獣ネット（５）を保持具の枠（１）の内側に巻装し懸吊することが出来、前記の欠点を除去することが可能となる。
【００１５】
図３は本発明の請求項３の外観斜視図である。半円弧状に湾曲した板で枠（１）を形成している。枠（１）の中央部には杭を冠着する形状の保持部（２）が設けられ、枠（１）の両端並びに中央部には防獣ネット（５）を懸吊する爪（３）が枠（１）の両側に設けられている。そして、これらを樹脂成型により一体に形成させている。
【００１６】
この請求項３の施工法は保持具の保持部（２）を杭の上端に冠せて固定し、防獣ネットを枠（１）の外側に巻装した時、上方の爪（３）に防獣ネットを取付る。防獣ネットを枠（１）の内側に巻装した時、下方の爪（３）に防獣ネットを取付る。
【００１７】
本発明の防獣ネット保持具は素材に生分解性プラスチックを使用し、一体成型により形成されている。
【００１８】
［発明の効果］
本発明は上述したように、１本の杭打ちにより防獣ネットを施工する事が出来るため、作業性が大幅に改善される。よって、価格的にも廉価となる。又、本製品は素材に生分解性プラスチックを使用しているため、施工後数年で水と炭酸ガスに分解するため回収作業が不要で地球環境上も良好である。
【図面の簡単な説明】
【図１】本発明の一実施例の外観斜視図である。
【図２】本発明の施工実施例を示す。
【図３】本発明の請求項３の一実施例の斜視図である。
【符号の説明】
１．枠
２．保持部
３．爪
４．杭
５．防獣ネット
６．幼木
【図１】
0003763038.tif 000002
【図２】
0003763038.tif 000003
【図３】
0003763038.tif 000004
(57)【特許請求の範囲】
【請求項１】
高電圧パルスを人体に貼られた電極を通じて人体に通電することにより、低周波治療を行い、設定値調整操作手段を有する低周波治療器において、
前記設定値調整操作手段は、エンドレスに回転するダイヤルを使用し、前記ダイヤルの操作面が本体ケースの上面及び下面に設けた各開口部よりそれぞれ外部に露出するように配置されていることを特徴とする低周波治療器。
【発明の詳細な説明】
【０００１】
【発明の属する技術分野】
この発明は、高電圧パルスを人体に貼られた電極を通じて人体に通電することにより、低周波治療を行う低周波治療器に関する。
【０００２】
【従来の技術】
従来の一般的な低周波治療器は、昇圧された高電圧直流を高電圧パルスに波形成形し、電極を介して人体患部に連続した高電圧パルス電流を印加して治療を行う。この種の低周波治療器では、刺激の強さや速さを調整するのに、ボリュームを使用している。具体的には、図１に示すように、ケース体１の表面１ａに垂直方向にボリューム１８を設け、ツマミを表面１ａと平行方向に回すタイプ、図２に示すように、ケース体１の側面１ｂにボリュームのツマミ４ａを設け、表面１ａと平行方向にツマミ４ａを回すタイプ、プッシュスイッチにより操作しながら値を変化させるタイプ等を使用していた。
【０００３】
【発明が解決しようとする課題】
上記した従来のボリューム等による調整方法では、▲１▼１回の操作で、例えば強さを極端に変化しないよう操作量の制限をすることがかなり困難である。▲２▼卓上使用時、ケース体を卓上に置いたままでは操作が困難である。▲３▼動作が緩慢な老人などにとっては、素早い操作が困難である。等の不具合があり、操作量を規定するストッパ機能がなく、不用意な操作により、使用者が意図しない大きな刺激を受ける可能性があり、操作性の悪さと安全性に欠けるという問題点があった。
【０００４】
この発明は上記問題点に着目してなされたものであって、操作性と安全性に優れた低周波治療器を提供することを目的としている。
【０００５】
【課題を解決するための手段】
この発明の低周波治療器は、高電圧パルスを人体に貼られた電極を通じて人体に通電することにより、低周波治療を行い、設定値調整操作手段を有するものにおいて、設定値調整操作手段は、エンドレスに回転するダイヤルを使用し、ダイヤルの操作面が本体ケースの上面及び下面に設けた各開口部よりそれぞれ外部に露出するように配置されている。設定値調整操作手段とは、例えば刺激の強さ、速さを手動操作で設定、変更するものである。
【０００６】
この低周波治療器では、上面及び下面に各開口部を設け、各開口部よりダイヤルの操作面の一部を露出させて、ダイヤルの操作面を上面と下面からつまんで操作することにより、一度の操作で極端に設定値が変化するのを防げ、安全性を確保できる。
【０００７】
【発明の実施の形態】
以下、実施の形態により、この発明をさらに詳細に説明する。図３は、この発明の一実施形態である低周波治療器の一部、外観斜視図である。ケース体１の表面１ａの右端部に開口部２が設けられ、この開口部２から強さダイヤル３の操作面３ａが露出している。ケース体１は下面１ｂにも開口部４を有し、ダイヤル３の操作面３ａが露出している（図４参照）。ダイヤル３は図５に示すように、ケース体内部でロータリエンコーダ５に結合され、回転度合いに応じてデジタル化され、プリント回路基板６上に実装されているマイクロプロセッサ（図示省略）に取り込まれる。
【０００８】
ダイヤル３は、正方向、逆方向のいずれにもエンドレスで回転するが、指の当たる操作面３ａは開口部２、４の大きさに制限され、一度の操作によって大きく回転することはない。
図６は、この発明の他の実施形態である低周波治療器の平面図、図７は同背面図、図８は同側面図である。この低周波治療器は、本体ケース１１と電極１２、１３からなり、本体ケース１１は主体部１４と把手部１５とから構成されている。主体部１４の表面には、肩キー１６、腰キー１７、足裏キー１８、腕キー１９、脚キー２０、関節キー２１等の部位キーが、さらにたたくキー２２、もむキー２３、おすキー２４、さするキー２５、電源キー２６を備えている。また、中央部には表示部２７が設けられている。把手部１５には、右側にエンドレス回転可能な強さダイヤル２８、左側に速さダイヤル２９が、それぞれ設けられている。ここでは強さダイヤル２８は０から１５段階までを、速さダイヤル２９は１から１５段階までを表示部２７で表示可能に構成されている。各段階は、表示部２７の強さ表示部２７ａと、速さ表示部２７ｂに表示される。
【０００９】
強さダイヤル２８、速さダイヤル２９とも、操作面２８ａ、２９ａが把手部１５の上面と下面に設けられる開口部３０、３１、３２、３３より外部に露出するように配置されている。本体ケース１１を卓上等に載置した場合でも、把手部１５の下面のダイヤル２８、２９は卓上に接することなく、回転が妨げられない。使用者は機器を卓上において、ダイヤル２８、２９の操作面２８ａ、２９ａをケース体１１の把手部１５の表面に沿って、手前あるいは前方に向けて操作することにより、強さと速さを設定できる。
【００１０】
また、機器の本体ケース１１を例えば左手で持って、右手の指で強さダイヤル２８の操作面２８ａを上面と下面からつまんで、ダイヤルを回すことにより、スムーズにかつ正確に強さを設定できる。速さを調整する場合は、本体ケース１１を右手で持って、左手の指で速さダイヤル２９の操作面２９ａを上面と下面からつまめば、速さも容易に設定することができる。
【００１１】
【発明の効果】
この発明によれば、ダイヤル操作窓の開口部の大きさを制限するような構造とし、ダイヤルを回すには本体上面に沿った動きにより操作するようにしたので、操作性は損なわずに、一度に操作できるダイヤルの回転角度を制限することが可能になり、卓上及び携帯双方での操作性向上が可能になった。さらに、一定時間内のダイヤルの回転変動量がある一定以上となった場合に、刺激強さを変えない、もしくは制限するソフト処理と組み合わせることにより、より安全性を確保できるという効果が得られる。
【図面の簡単な説明】
【図１】従来の低周波治療器の概略を示す外観斜視図である。
【図２】従来の他の低周波治療器の概略を示す平面図である。
【図３】この発明の一実施形態である低周波治療器の概略を示す一部省略外観斜視図である。
【図４】同実施形態低周波治療器の強さダイヤル部分の断面図である。
【図５】同実施形態低周波治療器の強さダイヤルとロータリエンコーダの結合を説明する図である。
【図６】この発明の他の実施形態低周波治療器の平面図である。
【図７】同実施形態低周波治療器の背面図である。
【図８】同実施形態低周波治療器の側面図である。
【符号の説明】
１    本体ケース
１ａ  本体ケースの表面（上面）
２    開口部
３    強さダイヤル
３ａ  操作面
【図１】
0003763210.tif 000002
【図２】
0003763210.tif 000003
【図３】
0003763210.tif 000004
【図４】
0003763210.tif 000005
【図５】
0003763210.tif 000006
【図６】
0003763210.tif 000007
【図７】
0003763210.tif 000008
【図８】
0003763210.tif 000009
(57)【特許請求の範囲】
【請求項１】
鉄道軌道において、レ−ルと接触するレ−ル締結装置又は／及び床板表面にセラミック粒子を溶射して、レ−ルふく進に対する摩擦係数を大きくしたレ−ルふく進の防止方法。
【請求項２】
板状（１）を成し、その上下両面にセラミック粒子（２）を溶射して成り、レ−ル締結装置又は／及び床板と、レ−ルとの間に介在させる金属パッド。
【請求項３】
板状（１）の上下両面にセラミック粒子（２）を溶射するとともに一端部を約１０ｍｍ直角下向きに折曲形成してその折曲部（１ａ）外側面に目立つ色（３）を途付して成り、レ−ル締結装置又は／及び床板と、レ−ルとの間に介在させる金属パッド。
【発明の詳細な説明】
【０００１】
【産業上の利用分野】
本発明は、鉄道軌道において、列車走行や温度変化等によりレ−ルが前後に移動する現象即ち「ふく進」を防止するための方法及びその方法に使用する金属パッドに関する。
【０００２】
【従来技術】
軌道の中で最も弱点箇所といわれる分岐器において、「ふく進」を生ずると、転換機構に弊害を来して不転換事故の要因となる。
これまでレ−ルのふく進を防止するための装置としてアンチクリ−パがあるが、取付け撤去作業が繁雑な上、分岐器には取り付けの困難な箇所が多くあるため、汎用性の点で充分なものとは言えない。
また、現在のレ−ル締結は、ボルト締結力により座金で押え込む方式、ボルト締結力により板バネで押える方式、線バネにより押える方式などがあるが、いずれも締結装置とレ−ルの接触面は同一材料を用いているため、摩擦抵抗はあまり大きくない。
【０００３】
【発明が解決しようとする課題】
本発明は、従来のかかる実情に鑑みてなされたもので、鉄道軌道において、分岐器はもとよりあらゆる種類のレ−ル締結装置に適用できる、「ふく進」を防止するための方法及びその方法に使用する金属パッドを提供する。
【０００４】
【課題を解決するための手段】
上記目的を達成するため、本発明は、鉄道軌道において、レ−ルと接触するレ−ル締結装置又は／及び床板表面にセラミック粒子を溶射して、レ−ルふく進に対する摩擦係数を大きくしたレ−ルふく進の防止方法。
【０００５】
また、板状１を成し、その上下両面にセラミック粒子２を溶射して成り、レ−ル締結装置又は／及び床板と、レ−ルとの間に介在させる、前記方法の実施に使用する金属パッドである。
【０００６】
さらにまた、板状１を成し、その上下両面にセラミック粒子２を溶射するとともに一端部を約１０ｍｍ直角下向きに折曲形成してその折曲部１ａ外側面に目立つ色４を途付して成る、前記方法の実施に使用する金属パッドである。
【０００７】
【発明の効果】
本発明は、上記のように、あらゆる種類のレ−ル締結装置又は／及び床板のレ−ルと接触する面にセラミック粒子を溶射したから、列車走行や温度変化に伴うレ−ルの前後移動があると、セラミック粒子が、相対的に柔らかいレ−ル面に食込んでストッパ−の役割を果す。
本発明者らが、この方法を、請求項２に記載の金属パッドを床板とレ−ルとの間に介在させて工場内実験をしたところ、ふく進抵抗力は、金属パッドを使用しない場合と比べて約２倍の結果が得られた。
なお、請求項３に記載の、端部を約１０ｍｍ直角下向きに折曲形成してその折曲部１ａ外側面に目立つ色３を途付した態様においては、解体しないでパッド取付けの有無を確認できる。
【０００８】
【実施例】
鉄道軌道において、板状１を成し、その上下両面にセラミック粒子２を溶射するとともに一端部を約１０ｍｍ直角下向きに折曲形成してその折曲部１ａ外側面に朱色３を途付して成金属パッドを、レ−ルと接触する床板表面とレ−ルとの間に介在させて、レ−ルふく進に対する摩擦係数を大きくしたレ−ルふく進防止方法と、その金属パッドである。
【図面の簡単な説明】
【図１】本発明方法を実施するための金属パッドの斜視図
【図２】同上側面図
【図３】同上使用状態を示す正面図
【符号の説明】
１      板状
１ａ    折曲部
２      セラミック粒子
３      目立つ色
【図１】
0003763602.tif 000002
【図３】
0003763602.tif 000003
【図２】
0003763602.tif 000004
(57)【特許請求の範囲】
【請求項１】
追焚用熱交換器と、浴槽水の循環を行うポンプと、前記浴槽水の循環を検知する通水スイッチと、前記通水スイッチのオン−オフを判定する判定手段と、前記判定手段が前記ポンプを駆動させる前に前記通水スイッチのオンを判定した場合、前記ポンプを所定時間逆回転させ、前記通水スイッチのオン固着を解除させる制御手段を備え、前記判定手段は前記ポンプを所定時間逆回転させて停止した後の所定時間後に、再度通水スイッチのオンーオフを判定するようにした風呂装置。
【請求項２】
ポンプを所定時間逆回転させて停止した後の所定時間後、通水スイッチがオンの場合通水スイッチの故障表示を行い、運転を停止する判定手段を備えた請求項１記載の風呂装置。
【発明の詳細な説明】
【０００１】
【発明の属する技術分野】
本発明は、風呂装置に関する。
【０００２】
【従来の技術】
従来の風呂装置の例を図３に示す。すなわち、風呂の追焚運転時には、外部入出力装置１の運転スイッチ（図示せず）をオンすると、ポンプ２が回転し、通水スイッチ３が通水を検知した後、この信号を受けて燃焼ファン４が回転し、ガス元電磁弁５、ガス比例弁６が開き、バーナ７に着火し、追焚用熱交換器８で加熱される。
【０００３】
ここで、この風呂装置のシーケンスの一例を図４に示す。ステップ１で外部入出力装置１の運転スイッチをオンにすると、ステップ２で通水スイッチ３のオン−オフ判定を行い、通水スイッチ３がオフの場合、ステップ３でポンプ２が回転し以後のシーケンスへ進む。ステップ２で通水スイッチ３がオンの場合は、通水スイッチ３がオン固着と判定し、ステップ４へ進み運転を停止する制御手段となっている。
【０００４】
【発明が解決しようとする課題】
しかしながら上記のような制御手段のものでは、近年各種の入浴剤の普及により粘性の高いものが風呂で使われていた場合は、たびたび通水スイッチ３がオン固着の状態となる場合があり、その都度運転が停止してしまうため使い勝手が悪いという課題があった。
【０００５】
本発明は上記従来の課題を解決するもので、粘性の高い入浴剤により通水スイッチの好ましくないオン状態を解除することを目的とするものである。
【０００６】
【課題を解決するための手段】
上記の目的を達成するために、本発明の風呂装置は、追焚用熱交換器と、浴槽水の循環を行うポンプと、前記浴槽水の循環を検知する通水スイッチと、前記通水スイッチのオン−オフを判定する判定手段と、前記判定手段が前記ポンプを駆動させる前に前記通水スイッチのオンを判定した場合、前記ポンプを所定時間逆回転させ、前記通水スイッチのオン固着を解除させる制御手段を備え、前記判定手段は前記ポンプを所定時間逆回転させて停止した後の所定時間後に、再度通水スイッチのオンーオフを判定するようにしたものであり、ポンプ駆動前に通水スイッチがオンの場合には、一旦ポンプを所定時間逆回転させる制御手段を備えているため、浴槽水が逆循環し、通水スイッチ部逆流を加えることができるものとなる。従って粘性の高い入浴剤による通水スイッチがオンに固着されている状態を改善し通水スイッチをオフにすることができる作用がある。
【０００７】
【発明の実施の形態】
請求項１記載に係る発明は、ポンプを正回転駆動させる前に、通水スイッチがオンの場合、前記ポンプを所定時間逆回転させる制御手段を有するものであるから、従来のように粘性の高い入浴剤によって通水スイッチがオンに固着されている状態を解除することができる。
【０００８】
また、ポンプを所定時間逆回転させ、前記ポンプの停止後の所定時間後に、通水スイッチのオン−オフを判定する判定手段を備えたものであり、通水スイッチのオン固着の解除の有無を正確に判定することができる。
【０００９】
また、請求項２記載に係る発明は、ポンプを所定時間逆回転させ、前記ポンプの停止後の所定時間後に、通水スイッチがオンの場合、通水スイッチの故障表示を行い運転を停止する判定手段を備えたものであり、通水スイッチのオン固着解除の運転を行っても通水スイッチがオンの儘の場合は、通水スイッチが真に故障である表示を行うことができる作用を有するものである。
【００１０】
（実施例１）
以下、本発明の風呂装置について、図面を参照しながら具体的に説明する。なお、従来例を示す図３に示すものと同一構成部分には同一番号を付して詳細な説明を省略する。
【００１１】
図１は、本発明の実施例１の構造を示し、図２は本発明の実施例のシーケンスを示す。
【００１２】
ステップ１で外部入出力装置１の運転スイッチをオンにするとステップ２で通水スイッチ３のオン−オフの判定を行い、通水スイッチ３がオフの場合、ステップ３でポンプ２が回転し以後のシーケンスへ進む。
【００１３】
ここでステップ２で通水スイッチ３がオンの場合は、通水スイッチ３がオン固着と判定しステップ５へ進み、ここでポンプ２を所定時間ｔ１逆回転駆動させる制御手段９を備えることにより、浴槽水１０が図中Ａ方向へ逆循環し、通水スイッチ３に逆流を加えるシーケンスとなる。
【００１４】
（実施例２）
次に本発明の実施例２について図１、図２により説明する。
【００１５】
ステップ５でポンプ２を所定時間ｔ１逆回転させた後、ステップ６で前記ポンプ２を停止させ、循環水の停止が確定する所定時間Ｔ２後にステップ７で前記通水スイッチ３のオン−オフを判定する判定手段１１を備えるため、通水スイッチ３のオン固着の解除の有無を正確に判定できるものとなる。
【００１６】
（実施例３）
また、本発明の実施例３について図１、図２により説明する。制御手段９、判定手段１１により、ステップ５、ステップ６でポンプ２の駆動および停止後、通水スイッチ３がオンの場合は、ステップ７で通水スイッチ３が直に故障であるという判定手段１２を備えており、ステップ８で運転停止を同時に通水スイッチ３の故障表示を入出力装置１に行うこととなる。
【００１７】
【発明の効果】
以上の説明から明らかなように、請求項１に記載する風呂装置は、ポンプ駆動前に通水スイッチがオンの場合でも、一旦ポンプを所定時間逆回転駆動させる制御手段を備えるため、通水スイッチ部に逆流を加えることにより、粘性の高い入浴剤による通水スイッチのオン固着の改善を行う手段を提供できるものとなる。
【００１８】
また、ポンプ駆動および停止後、循環水の停止が確定する所定時間後に、再度通水スイッチのオン−オフを判定する判定手段を備えるため、通水スイッチのオン固着の解除の有無を正確に判定できるものとなる。
【００１９】
また、請求項２記載の発明では、固着解除の運転を行っても通水スイッチがオンのままの場合は、通水スイッチが真に故障である判定手段、表示機能を備えるため、故障処理の迅速化を図ることができる。
【図面の簡単な説明】
【図１】  本発明の実施例１、２、３における風呂装置の構成図
【図２】  同装置のシーケンス図
【図３】  従来の風呂装置の構成図
【図４】  同装置のシーケンス図
【符号の説明】
２  ポンプ
３  通水スイッチ
９  制御手段
１１、１２  判定手段
【図１】
0003763164.tif 000002
【図２】
0003763164.tif 000003
【図３】
0003763164.tif 000004
【図４】
0003763164.tif 000005